【手続補正書】
【提出日】令和2年7月28日(2020.7.28)
【手続補正１】
【補正対象書類名】特許請求の範囲
【補正対象項目名】全文
【補正方法】変更
【補正の内容】
【特許請求の範囲】
【請求項１】
双方向メディアガイダンスアプリケーションに提示される自然言語クエリのための実行パスを判定する方法であって、
入力エンティティおよび未知の用語を含むクエリをユーザから受信することと、
前記クエリに対する複数の可能性のある応答を知識グラフから読み出すことと、
前記ユーザからのフィードバックに基づいて前記複数の可能性のある応答のうちの正しい応答を判定することと、
前記正しい応答に基づいて前記クエリのための実行パスを選択することと
を含む、方法。
【請求項２】
前記クエリに対する前記複数の可能性のある応答は、前記クエリに対する第１の可能性のある応答および第２の可能性のある応答を含み、前記第１の可能性のある応答は、前記クエリのための第１の実行パスにより導出され、前記第２の可能性のある応答は、前記クエリのための第２の実行パスにより導出され、
前記方法は、前記第１の可能性のある応答および前記第２の可能性のある応答のうちの少なくとも１つを含む双方向メディアガイダンス画面を表示のために生成することをさらに含み、
前記ユーザからの前記フィードバックは、前記第１の可能性のある応答および前記第２の可能性のある応答のうちの少なくとも１つ上にあり、
前記クエリのための前記実行パスは、前記第１の実行パスおよび前記第２の実行パスのうちの１つから選択され、
前記第１の可能性のある応答は、前記入力エンティティから前記第１の可能性のある応答に向けて前記知識グラフ内で１つ以上のノードをたどることによって前記第１の実行パスにより導出される、請求項１に記載の方法。
【請求項３】
前記第２の可能性のある応答は、前記入力エンティティから前記第２の可能性のある応答に向けて前記知識グラフ内で１つ以上のノードをたどることによって前記第２の実行パスにより導出される、請求項２に記載の方法。
【請求項４】
フィードバックを示す前記ユーザからの入力は、前記双方向メディアガイダンス画面からの前記第１の可能性のある応答および前記第２の可能性のある応答のうちの１つの選択を含む、請求項２または請求項３のいずれかに記載の方法。
【請求項５】
前記クエリに対する正しい応答を判定することは、前記第１の可能性のある応答および前記第２の可能性のある応答のうちの１つのユーザ選択を前記正しい応答として割り当てることを含む、請求項４に記載の方法。
【請求項６】
フィードバックを示す前記ユーザからの入力は、前記第１の可能性のある応答が正しいというインジケーションおよび前記第１の可能性のある応答が正しくないというインジケーションのうちの１つを含む、請求項２〜５のいずれかに記載の方法。
【請求項７】
前記クエリに対する正しい応答を判定することは、
前記フィードバックが、前記第１の可能性のある応答が正しいというインジケーションを含む場合、前記第１の応答を前記正しい応答として割り当てることと、
前記フィードバックが、前記第１の可能性のある応答が正しくないというインジケーションを含む場合、前記第２の応答を前記正しい応答として割り当てることと
を含む、請求項６に記載の方法。
【請求項８】
前記クエリは第１のクエリであり、前記入力エンティティは第１の入力エンティティであり、前記正しい応答は第１の正しい応答であり、
前記方法は、
第２の入力エンティティおよび前記未知の用語を含む、前記第１のクエリと類似した形態の第２のクエリを前記ユーザから受信することと、
前記第１のクエリのための選択された実行パスに基づいて前記第２のクエリに対する第２の正しい応答を前記知識グラフから読み出すことと
をさらに含む、請求項２〜７のいずれかに記載の方法。
【請求項９】
前記選択された実行パスは、前記入力エンティティから前記正しい応答へ向けて前記知識グラフ内で１つ以上のノードをたどっている、請求項２〜８のいずれかに記載の方法。
【請求項１０】
前記第１のクエリのための選択された実行パスに基づいて前記第２のクエリに対する第２の正しい応答を読み出すことは、前記第２の入力エンティティから前記第２の正しい応答に向けて前記知識グラフ内で１つ以上のノードをたどることを含む、請求項９に記載の方法。
【手続補正２】
【補正対象書類名】明細書
【補正対象項目名】００１９
【補正方法】変更
【補正の内容】
【００１９】
前述のシステム、方法、装置、および／または側面は、本開示に記述されている他のシステム、方法、装置、および／または側面に適用されてもよいし、もしくはそれに従って使用されてもよいことに留意されたい。
本発明は、例えば、以下を提供する。
（項目１）
双方向メディアガイダンスアプリケーションに提示される自然言語クエリのための実行パスを判定する方法であって、
入力エンティティおよび未知の用語を含むクエリをユーザから受信することと、
前記クエリに対する複数の可能性のある応答を知識グラフから読み出すことと、
前記ユーザからのフィードバックに基づいて前記複数の可能性のある応答のうちの正しい応答を判定することと、
前記正しい応答に基づいて前記クエリのための実行パスを選択することと
を含む、方法。
（項目２）
双方向メディアガイダンスアプリケーションに提示される自然言語クエリのための実行パスを判定するための方法であって、
入力エンティティおよび未知の用語を含むクエリをユーザから受信することと、
前記クエリに対する第１の可能性のある応答および第２の可能性のある応答を知識グラフから読み出すことであって、前記第１の可能性のある応答は前記クエリのための第１の実行パスにより導出され、前記第２の可能性のある応答は前記クエリのための第２の実行パスにより導出される、ことと、
前記第１の可能性のある応答および前記第２の可能性のある応答のうちの少なくとも１つを含む双方向メディアガイダンス画面を表示のために生成することと、
前記第１の可能性のある応答および前記第２の可能性のある応答のうちの少なくとも１つに関するフィードバックを示す入力を前記ユーザから受信することと、
前記フィードバックに基づいて前記クエリに対する正しい応答を判定することと、
前記正しい応答に基づいて前記クエリのための前記第１の実行パスおよび前記第２の実行パスのうちの１つを選択することと
を含む、方法。
（項目３）
前記第１の可能性のある応答は、前記入力エンティティから前記第１の可能性のある応答に向けて前記知識グラフ内で１つ以上のノードをたどることによって前記第１の実行パスにより導出される、項目２に記載の方法。
（項目４）
前記第２の可能性のある応答は、前記入力エンティティから前記第２の可能性のある応答に向けて前記知識グラフ内で１つ以上のノードをたどることによって前記第２の実行パスにより導出される、項目２に記載の方法。
（項目５）
フィードバックを示す前記ユーザからの入力は、前記双方向メディアガイダンス画面からの前記第１の可能性のある応答および前記第２の可能性のある応答のうちの１つの選択を含む、項目２に記載の方法。
（項目６）
前記クエリに対する正しい応答を判定することは、前記第１の可能性のある応答および前記第２の可能性のある応答のうちの１つのユーザ選択を前記正しい応答として割り当てることを含む、項目５に記載の方法。
（項目７）
フィードバックを示す前記ユーザからの入力は、前記第１の可能性のある応答が正しいというインジケーションおよび前記第１の可能性のある応答が正しくないというインジケーションのうちの１つを含む、項目２に記載の方法。
（項目８）
前記クエリに対する正しい応答を判定することは、
前記フィードバックが、前記第１の可能性のある応答が正しいというインジケーションを含む場合、前記第１の応答を前記正しい応答として割り当てることと、
前記フィードバックが、前記第１の可能性のある応答が正しくないというインジケーションを含む場合、前記第２の応答を前記正しい応答として割り当てることと
を含む、項目７に記載の方法。
（項目９）
前記クエリは第１のクエリであり、前記入力エンティティは第１の入力エンティティであり、前記正しい応答は第１の正しい応答であり、
前記方法は、
第２の入力エンティティおよび前記未知の用語を含む、前記第１のクエリと類似した形態の第２のクエリを前記ユーザから受信することと、
前記第１のクエリのための選択された実行パスに基づいて前記第２のクエリに対する第２の正しい応答を前記知識グラフから読み出すことと
をさらに含む、項目２に記載の方法。
（項目１０）
前記選択された実行パスは、前記入力エンティティから前記正しい応答へ向けて前記知識グラフ内で１つ以上のノードをたどっている、項目２に記載の方法。
（項目１１）
前記第１のクエリのための選択された実行パスに基づいて前記第２のクエリに対する第２の正しい応答を読み出すことは、前記第２の入力エンティティから前記第２の正しい応答に向けて前記知識グラフ内で１つ以上のノードをたどることを含む、項目１０に記載の方法。
（項目１２）
双方向メディアガイダンスアプリケーションに提示される自然言語クエリのための実行パスを判定するシステムであって、
知識グラフを記憶するメモリと、
ユーザ入力デバイスと、
制御回路であって、前記制御回路は、
入力エンティティおよび未知の用語を含むクエリを前記ユーザ入力デバイスから受信し、
前記クエリに対する第１の可能性のある応答および第２の可能性のある応答を前記メモリ内の知識グラフから読み出すことであって、前記第１の可能性のある応答は前記クエリのための第１の実行パスにより導出され、前記第２の可能性のある応答は前記クエリのための第２の実行パスにより導出される、ことを行い、
前記第１の可能性のある応答および前記第２の可能性のある応答のうちの少なくとも１つを含む双方向メディアガイダンス画面を表示のために生成し、
前記第１の可能性のある応答および前記第２の可能性のある応答のうちの少なくとも１つに関するフィードバックを示す入力を前記ユーザ入力デバイスから受信し、
前記クエリに対する正しい応答を前記フィードバックに基づいて判定し、
前記正しい応答に基づいて前記クエリのための前記第１の実行パスおよび前記第２の実行パスのうちの１つを選択する
ように構成された、制御回路と、
を備える、システム。
（項目１３）
前記第１の可能性のある応答は、前記入力エンティティから前記第１の可能性のある応答に向けて前記知識グラフ内で１つ以上のノードをたどることによって、前記第１の実行パスにより導出される、項目１２に記載のシステム。
（項目１４）
前記第２の可能性のある応答は、前記入力エンティティから前記第２の可能性のある応答に向けて前記知識グラフ内で１つ以上のノードをたどることによって前記第２の実行パスにより導出される、項目１２に記載のシステム。
（項目１５）
前記フィードバックを示す入力は、前記双方向メディアガイダンス画面からの前記第１の可能性のある応答および前記第２の可能性のある応答のうちの１つの選択を含む、項目１２に記載のシステム。
（項目１６）
前記クエリに対する正しい応答を判定するように構成された制御回路は、前記第１の可能性のある応答および前記第２の可能性のある応答のうちの１つのユーザ選択を前記正しい応答として割り当てるように構成された制御回路を備える、項目１５に記載のシステム。
（項目１７）
前記フィードバックを示す入力は、前記第１の可能性のある応答が正しいというインジケーションおよび前記第１の可能性のある応答が正しくないというインジケーションのうちの１つを含む、項目１２に記載のシステム。
（項目１８）
前記クエリに対して前記正しい応答を判定するように構成された制御回路は、
前記フィードバックが前記第１の可能性のある応答が正しいというインジケーションを含む場合、前記第１の応答を前記正しい応答として割り当て、
前記フィードバックが前記第１の可能性のある応答が正しくないというインジケーションを含む場合、前記第２の応答を前記正しい応答として割り当てる
ように構成されている、制御回路を備える、項目１７に記載のシステム。
（項目１９）
前記クエリは第１のクエリであり、前記入力エンティティは第１の入力エンティティであり、前記正しい応答は第１の正しい応答であり、前記制御回路は、
第２の入力エンティティおよび前記未知の用語を含む、前記第１のクエリと類似した形態の第２のクエリを前記ユーザ入力デバイスから受信し、
前記第１のクエリのための選択された実行パスに基づいて前記第２のクエリに対する第２の正しい応答を前記メモリ内の知識グラフから読み出す
ようにさらに構成されている、項目１２に記載のシステム。
（項目２０）
前記選択された実行パスは、前記入力エンティティから前記正しい応答に向けて前記知識グラフ内で１つ以上のノードをたどっている、項目１２に記載のシステム。
（項目２１）
前記第１のクエリのための選択された実行パスに基づいて前記第２のクエリに対する第２の正しい応答を読み出すように構成されている制御回路は、前記第２の入力エンティティから前記第２の正しい応答に向けて前記知識グラフ内で１つ以上のノードをたどるように構成された制御回路を備える、項目２０に記載のシステム。
（項目２２）
双方向メディアガイダンスアプリケーションに提示される自然言語クエリのための実行パスを判定する装置であって、
入力エンティティおよび未知の用語を含むクエリをユーザから受信する手段と、
前記クエリに対する第１の可能性のある応答および第２の可能性のある応答を知識グラフから読み出す手段であって、前記第１の可能性のある応答は前記クエリのための第１の実行パスにより導出され、前記第２の可能性のある応答は前記クエリのための第２の実行パスにより導出される、手段と、
前記第１の可能性のある応答および前記第２の可能性のある応答のうちの少なくとも１つを含む双方向メディアガイダンス画面を表示のために生成する手段と、
前記第１の可能性のある応答および前記第２の可能性のある応答のうちの少なくとも１つに関するフィードバックを示す入力を前記ユーザから受信する手段と、
前記フィードバックに基づいて前記クエリに対する正しい応答を判定する手段と、
前記正しい応答に基づいて前記クエリのための前記第１の実行パスおよび前記第２の実行パスのうちの１つを選択する手段と
を備える、装置。
（項目２３）
前記第１の可能性のある応答は、前記入力エンティティから前記第１の可能性のある応答へ向けて前記知識グラフ内で１つ以上のノードをたどることによって、前記第１の実行パスにより導出される、項目２２に記載の装置。
（項目２４）
前記第２の可能性のある応答は、前記入力エンティティから前記第２の可能性のある応答に向けて前記知識グラフ内で１つ以上のノードをたどることによって、前記第２の実行パスにより導出される、項目２２に記載の装置。
（項目２５）
フィードバックを示す前記ユーザからの入力は、前記双方向メディアガイダンス画面からの前記第１の可能性のある応答および前記第２の可能性のある応答のうちの１つの選択を含む、項目２２に記載の装置。
（項目２６）
前記クエリに対する正しい応答を判定するための手段は、前記第１の可能性のある応答および前記第２の可能性のある応答のうちの１つのユーザ選択を前記正しい応答として割り当てる手段を備える、項目２５に記載の装置。
（項目２７）
フィードバックを示す前記ユーザからの入力は、前記第１の可能性のある応答が正しいというインジケーションおよび前記第１の可能性のある応答が正しくないというインジケーションのうちの１つを含む、項目２２に記載の装置。
（項目２８）
前記クエリに対する正しい応答を判定するための手段は、
前記フィードバックが、前記第１の可能性のある応答が正しいというインジケーションを含む場合、前記第１の応答を前記正しい応答として割り当てる手段と、
前記フィードバックが、前記第１の可能性のある応答が正しくないというインジケーションを含む場合、前記第２の応答を前記正しい応答として割り当てる手段と
を備える、項目２７に記載の装置。
（項目２９）
前記クエリは第１のクエリであり、前記入力エンティティは第１の入力エンティティであり、前記正しい応答は第１の正しい応答であり、
前記装置は、
第２の入力エンティティおよび前記未知の用語を含む、前記第１のクエリと類似した形態の第２のクエリを前記ユーザから受信する手段と、
前記第１のクエリのための選択された実行パスに基づいて前記第２のクエリに対する第２の正しい応答を前記知識グラフから読み出す手段と
をさらに備える、項目２２に記載の装置。
（項目３０）
前記選択された実行パスは、前記入力エンティティから前記正しい応答へ向けて前記知識グラフ内で１つ以上のノードをたどっている、項目２２に記載の装置。
（項目３１）
前記第１のクエリのための選択された実行パスに基づいて前記第２のクエリに対する第２の正しい応答を読み出す手段は、前記第２の入力エンティティから前記第２の正しい応答に向けて前記知識グラフ内で１つ以上のノードをたどる手段を備える、項目３０に記載の装置。
（項目３２）
メモリを備えた非一時的機械可読媒体であって、前記メモリには、双方向メディアガイダンスアプリケーションに提示される自然言語クエリのための実行パスを判定するための命令がエンコードされており、
前記非一時的機械可読媒体は、
入力エンティティおよび未知の用語を含むクエリをユーザから受信するための命令と、
前記クエリに対する第１の可能性のある応答および第２の可能性のある応答を知識グラフから読み出すための命令であって、前記第１の可能性のある応答は前記クエリのための第１の実行パスにより導出され、前記第２の可能性のある応答は前記クエリのための第２の実行パスにより導出される、命令と、
前記第１の可能性のある応答および前記第２の可能性のある応答のうちの少なくとも１つを含む双方向メディアガイダンス画面を表示のために生成するための命令と、
前記第１の可能性のある応答および前記第２の可能性のある応答のうちの少なくとも１つに関するフィードバックを示す入力を前記ユーザから受信するための命令と、
前記フィードバックに基づいて前記クエリに対する正しい応答を判定するための命令と、
前記正しい応答に基づいて前記クエリのための前記第１の実行パスおよび前記第２の実行パスのうちの１つを選択するための命令と
を備える、非一時的機械可読媒体。
（項目３３）
前記第１の可能性のある応答は、前記入力エンティティから前記第１の可能性のある応答に向けて前記知識グラフ内で１つ以上のノードをたどることによって前記第１の実行パスにより導出される、項目３２に記載の非一時的機械可読媒体。
（項目３４）
前記第２の可能性のある応答は、前記入力エンティティから前記第２の可能性のある応答に向けて前記知識グラフ内で１つ以上のノードをたどることによって前記第２の実行パスにより導出される、項目３２に記載の非一時的機械可読媒体。
（項目３５）
フィードバックを示す前記ユーザからの入力は、前記双方向メディアガイダンス画面からの前記第１の可能性のある応答および前記第２の可能性のある応答のうちの１つの選択を含む、項目３２に記載の非一時的機械可読媒体。
（項目３６）
前記クエリに対する正しい応答を判定するための命令は、前記第１の可能性のある応答および前記第２の可能性のある応答のうちの１つのユーザ選択を前記正しい応答として割り当てるための命令を備える、項目３５に記載の非一時的機械可読媒体。
（項目３７）
フィードバックを示す前記ユーザからの入力は、前記第１の可能性のある応答が正しいというインジケーションおよび前記第１の可能性のある応答が正しくないというインジケーションのうちの１つを含む、項目３２に記載の非一時的機械可読媒体。
（項目３８）
前記クエリに対する正しい応答を判定するための命令は、
前記フィードバックが、前記第１の可能性のある応答が正しいというインジケーションを含む場合、前記第１の応答を前記正しい応答として割り当てるための命令と、
前記フィードバックが、前記第１の可能性のある応答が正しくないというインジケーションを含む場合、前記第２の応答を前記正しい応答として割り当てるための命令と
を備える、項目３７に記載の非一時的機械可読媒体。
（項目３９）
前記クエリは第１のクエリであり、前記入力エンティティは第１の入力エンティティであり、前記正しい応答は第１の正しい応答であり、
前記非一時的機械可読媒体は、
第２の入力エンティティおよび前記未知の用語を含む、前記第１のクエリと類似した形態の第２のクエリを前記ユーザから受信するための命令と、
前記第１のクエリのための選択された実行パスに基づいて前記第２のクエリに対する第２の正しい応答を前記知識グラフから読み出すための命令と
をさらに備える、項目３２に記載の非一過性機械可読媒体。
（項目４０）
前記選択された実行パスは、前記入力エンティティから前記正しい応答に向けて前記知識グラフ内で１つ以上のノードをたどっている、項目３２に記載の非一時的機械可読媒体。
（項目４１）
前記第１のクエリのための選択された実行パスに基づいて前記第２のクエリに関する第２の正しい応答を読み出すための命令は、前記第２の入力エンティティから前記第２の正しい応答に向けて前記知識グラフ内で１つ以上のノードをたどるための命令を備える、項目４０に記載の非一時的機械可読媒体。
（項目４２）
双方向メディアガイダンスアプリケーションに提示される自然言語クエリのための実行パスを判定する方法であって、
入力エンティティおよび未知の用語を含むクエリをユーザから受信することと、
前記クエリに対する第１の可能性のある応答および第２の可能性のある応答を知識グラフから読み出すことであって、前記第１の可能性のある応答は前記クエリのための第１の実行パスにより導出され、前記第２の可能性のある応答は前記クエリのための第２の実行パスにより導出される、ことと、
前記第１の可能性のある応答および前記第２の可能性のある応答のうちの少なくとも１つを含む双方向メディアガイダンス画面を表示のために生成することと、
前記第１の可能性のある応答および前記第２の可能性のある応答のうちの少なくとも１つに関するフィードバックを示す入力を前記ユーザから受信することと、
前記フィードバックに基づいて前記クエリに対する正しい応答を判定することと、
前記正しい応答に基づいて前記クエリのための前記第１の実行パスおよび前記第２の実行パスのうちの１つを選択することと
を含む、方法。
（項目４３）
前記第１の可能性のある応答は、前記入力エンティティから前記第１の可能性のある応答に向けて前記知識グラフ内で１つ以上のノードをたどることによって前記第１の実行パスにより導出される、項目４２に記載の方法。
（項目４４）
前記第２の可能性のある応答は、前記入力エンティティから前記第２の可能性のある応答に向けて前記知識グラフ内で１つ以上のノードをたどることによって前記第２の実行パスにより導出される、項目４２または４３に記載の方法。
（項目４５）
フィードバックを示す前記ユーザからの入力は、前記双方向メディアガイダンス画面からの前記第１の可能性のある応答および前記第２の可能性のある応答のうちの１つの選択を含む、項目４２〜４４のいずれか１項に記載の方法。
（項目４６）
前記クエリに対する正しい応答を判定することは、前記第１の可能性のある応答および前記第２の可能性のある応答のうちの１つのユーザ選択を前記正しい応答として割り当てることを含む、項目４５に記載の方法。
（項目４７）
フィードバックを示す前記ユーザからの入力は、前記第１の可能性のある応答が正しいというインジケーションおよび前記第１の可能性のある応答が正しくないというインジケーションのうちの１つを含む、項目４２〜４６のいずれか１項に記載の方法。
（項目４８）
前記クエリに対する正しい応答を判定することは、
前記フィードバックが、前記第１の可能性のある応答が正しいというインジケーションを含む場合、前記第１の応答を前記正しい応答として割り当てることと、
前記フィードバックが、前記第１の可能性のある応答が正しくないというインジケーションを含む場合、前記第２の応答を前記正しい応答として割り当てることと
を含む、項目４７に記載の方法。
（項目４９）
前記クエリは第１のクエリであり、前記入力エンティティは第１の入力エンティティであり、前記正しい応答は第１の正しい応答であり、
前記方法は、
第２の入力エンティティおよび前記未知の用語を含む、前記第１のクエリと類似した形態の第２のクエリを前記ユーザから受信することと、
前記第１のクエリのための選択された実行パスに基づいて前記第２のクエリに対する第２の正しい応答を前記知識グラフから読み出すことと
をさらに含む、項目４２〜４８のいずれか１項に記載の方法。
（項目５０）
前記選択された実行パスは、前記入力エンティティから前記正しい応答に向けて前記知識グラフ内で１つ以上のノードをたどっている、項目４２〜４９のいずれか１項に記載の方法。
（項目５１）
前記第１のクエリのための選択された実行パスに基づいて前記第２のクエリに対する第２の正しい応答を読み出すことは、前記第２の入力エンティティから前記第２の正しい応答に向けて前記知識グラフ内で１つ以上のノードをたどることを含む、項目５０に記載の方法。